(57)【要約】【課題】現在読んでいる本文データが書籍の内のどの部分であるのかを簡単に知ることができ、読者に無駄な操作を強いることのない電子書籍表示装置を提供する。【解決手段】電子書籍の本文データをページ番号に対応して記憶すると共に本文データに対応した目次データをページ番号に対応して記憶する記憶部２と、本文データを表示する本文表示部２０と目次データを表示する目次表示部３０とを並列状態で備えた表示部３と、表示部３が表示する本文データのページをめくるためのページめくり部４と、ページめくり部がめくったページ番号に対応した本文データと目次データとを記憶部２から読み出し、読み出した本文データと目次データとを表示部３に並列表示させる制御部１０とを備える。【選択図】図１
2016085502.tif 000002
【特許請求の範囲】
【請求項１】
電子書籍の本文データをページ番号に対応して記憶すると共に前記本文データに対応した目次データを前記ページ番号に対応して記憶する記憶部と、
前記本文データを表示する本文データ表示部と前記目次データを表示する目次データ表示部とを並列状態で備えた表示部と、
前記表示部が表示する本文データのページをめくるためのページめくり部と、
前記ページめくり部がめくったページ番号に対応した本文データと目次データとを前記記憶部から読み出し、読み出した本文データと目次データとを前記表示部に並列表示させる制御部とを備えていることを特徴とする電子書籍表示装置。
【請求項２】
請求項１記載の電子書籍表示装置であって、
前記目次データ表示部は前記本文データ表示部に対し画面上方側に表示されることを特徴とする電子書籍表示装置。
【請求項３】
請求項１又は２記載の電子書籍表示装置であって、
前記ページめくり部はページめくり指示ボタン部を備え、前記制御部は前記ページめくり指示ボタン部を前記本文データと並列して表示するように前記表示部を制御することを特徴とする電子書籍表示装置。
【発明の詳細な説明】
【技術分野】
【０００１】
本発明は、電子書籍を表示する電子書籍表示装置に関する。
【背景技術】
【０００２】
雑誌、辞書、コミック等の紙媒体による書籍に対し、電子書籍は単一の機器に複数の書籍データを格納でき、書籍管理が容易で、軽量・小型で携帯可能である利便性を有している。このためスマートファン、ＰＤＡ、タブレット、携帯電話機などが電子書籍を表示する電子書籍表示装置として使用されている。
【０００３】
電子書籍表示装置は電子書籍の本文データだけなく、他のデータを同時に表示できるフレキシブル性を有していることから電子書籍表示装置を用いた広告方法などが従来より開発されている。例えば、特許文献１では、電子書籍の本文データと広告情報とを照合し、電子書籍の本文データの読み順に従って広告情報を本文データの表示タイミングに合わせて表示する電子書籍表示装置が開示されている。
【先行技術文献】
【特許文献】
【０００４】
【特許文献１】特開２０１２−１２３０９３号公報
【発明の概要】
【発明が解決しようとする課題】
【０００５】
電子書籍表示装置は複数のデータを同時に表示する特性を有していることから、特許文献１のように広告情報を本文データと共に表示することがなされているが、本来的には、書籍における本文データを表示することを目的としている。このため、多重表示、複数ページ表示、部分拡大表示等の本文データの表示に対する工夫がなされているが、これらの表示形態では、現に表示している本文データが書籍におけるどの部分に対応するのかを知ることができない。例えば、旅行書籍において、現に表示している本文データがどの国の旅行に関するデータであるかを知ることができず、どの国であるかを知るにはページを戻したりする操作が必要となっている。このようなことは電子書籍を読む際に、読者に複雑な操作を強いるものであり、電子書籍の問題点の一つとなっている。
【０００６】
本発明は、このような従来の問題点を考慮してなされたものであり、現在読んでいる本文データが書籍の内のどの部分であるのかを簡単に知ることができ、読者に無駄な操作を強いることのない電子書籍表示装置を提供することを目的とする。
【課題を解決するための手段】
【０００７】
本発明の電子書籍表示装置は、電子書籍の本文データをページ番号に対応して１ページごとに記憶すると共に前記本文データに対応した目次データを前記ページ番号に対応して記憶する記憶部と、前記本文データを表示する本文データ表示部と前記目次データを表示する目次データ表示部とを並列状態で備えた表示部と、前記表示部が表示する本文データのページをめくるためのページめくり部と、前記ページめくり部がめくったページ番号に対応した本文データと目次データとを前記記憶部から読み出し、読み出した本文データと目次データとを前記表示部に並列表示させる制御部とを備えていることを特徴とする。
【０００８】
本発明においては、前記目次データ表示部は前記本文データ表示部に対し画面上方側に表示されることが好ましい。
又、前記ページめくり部はページめくり指示ボタン部を備え、前記制御部は前記ページめくり指示ボタン部を前記本文データと並列して表示するように前記表示部を制御することが好ましい。
【発明の効果】
【０００９】
本発明では、本文データと目次データとをページ番号に対応して記憶しており、ページめくり部がページをめくると、めくったページ番号に対応した本文データと目次データとを並列表示する。このため、読者は現在の本文データがどの目次データについてのデータであるかを本文データを読みながら簡単に知ることができ、読者の無駄な操作が必要なくなる。
【図面の簡単な説明】
【００１０】
【図１】本発明の一実施形態の電子書籍表示装置のブロック図である。
【図２】電子書籍表示装置の表示部が表示する書籍一覧画面の一例を示す正面図である。
【図３】本文データと目次データとを並列表示する画面の一例を示す正面図である。
【図４】表示処理を行うためのフローチャートである。
【図５】本文データと目次データとの対応を示す正面図である。
【発明を実施するための形態】
【００１１】
図１〜図５は、本発明の一実施形態の電子書籍表示装置を示す。
【００１２】
図１は電子書籍表示装置１のブロック図であり、記憶部２と、表示部３と、ページめくり部４と、書籍選択部５と、表示指示スイッチ部７と、通信部８と、外部メモリドライバ９と、制御部１０とを備え、これらがバス１１によって接続されることにより形成されている。
【００１３】
記憶部２は第１記憶部１２、第２記憶部１３、第３記憶部１４を少なくとも有している。これらの記憶部１２、１３、１４は電子書籍に関するデータを記憶する記憶部である。第１記憶部１２は複数の書籍を、書籍の識別を行うための書籍ＩＤに関連付けて記憶する記憶部である。第２記憶部１３は各書籍の本文データ２１、２２、２３（図５参照）を書籍ＩＤ及びページ番号に対応して記憶する記憶部である。第３記憶部１４は各書籍の目次データ３１、３２、３３（図５参照）を本文データ２１、２２、２３に対応させるため、書籍ＩＤ及び本文データ２１、２２、２３のページ番号に対応して記憶する記憶部である。
【００１４】
記憶部２において、第１記憶部１２に記憶されている一の書籍が指定されると、その書籍の書籍ＩＤが第２記憶部１３、第３記憶部１４に出力され、書籍ＩＤに対応した本文データ２１、２２、２３及び目次データ３１、３２、３３が指定される。
【００１５】
表示部３は表示本体１５とタッチセンサ１６とを備えた液晶ディスプレイ（ＬＥＤ）によって形成されており、タップ、スワイプ、ドラッグ等の指での接触操作が可能なタッチパネルとなっている。表示本体１５は図２に示す書籍一覧画面４１及び図３に示す書籍表示画面４２に表示切り換え可能となっている。図３に示す書籍表示画面４２において、表示本体１５は本文データを表示する本文データ表示部２０と、目次データを表示する目次データ表示部３０とが並列状態で備えるように形成される。タッチセンサ１６は指による接触操作を受け入れるセンサである。
【００１６】
ページめくり部４は表示部３の表示本体１５が表示する本文データのページをめくるための操作部である。この実施形態では図３に示すようにページ送りボタン４３ａ及びページ戻しボタン４３ｂからなるページめくり指示ボタン部４３によって形成される。これに限らず、図３の書籍表示画面４２において本文データ表示部２０を左右方向にスライプしてページの送り及び戻しを行うように構成することも可能である。
【００１７】
書籍選択部５は第１記憶部２１に記憶されている複数の書籍の内の一の書籍を選択する操作部である。
【００１８】
表示指示スイッチ部７は表示部３が表示する表示画面を切り換えるために操作される操作部である。
【００１９】
通信部８はインターネット等の通信網との通信を行うものであり、通信網に接続されることにより書店等の外部の通信機器とのデータ通信を行い、これにより電子書籍を電子書籍表示装置１に取り込むことが可能となっている。外部メモリドライバ９はＳＤカード等の外部メモリ１７から電子書籍のデータの読み取りを行う読み取り装置である。
【００２０】
制御部１０は表示部３の表示、ページめくり部４のページめくり操作、書籍選択部５による書籍の選択、表示指示スイッチ部７への操作、通信部８の通信、外部メモリドライバ９の作動の制御を行う。又、制御部１０は第１記憶部２１からの書籍の選択、第２記憶部２２内の本文データの取り出しや第３記憶部２３内の目次データの取り出しを行う。この実施形態において制御部１０は、ページめくり部４がめくったページ番号に対応した本文データを第２記憶部２２から読み出すと共に、そのページ番号に対応した目次データを第３記憶部２３から読み出す。そして、読み出した本文データ及び目次データを表示本体１５が並列表示するように表示部３を制御する。
【００２１】
次に、この実施形態による電子書籍の表示動作を図２〜図５により説明する。
【００２２】
図４は作動のフローチャートであり、メインスイッチをオンとすることにより、制御部１０は第１記憶部２１が記憶している複数の電子書籍を読み出し、電子書籍のタイトルを表示部３に表示させる（ステップＳ１）。
【００２３】
図２はこのときの書籍一覧画面４１の一例を示し、雑誌Ａ〜Ｄ、辞書Ａ、Ｂ等の複数の書籍のタイトルが並列表示される。読者は、書籍一覧画面４１から一の書籍を選択し、その書籍の表示バー（例えば雑誌Ａの表示バー）をタップする（ステップＳ２）。これによりその書籍（書籍Ａ）に対応した書籍ＩＤが記憶部２に出力され、第２記憶部２２からその書籍（書籍Ａ）の本文データが読み出されると共に第３記憶部２３から、その書籍（書籍Ａ）の本文データに対応した目次データが読み出される。図２において、符号４８は他の電子書籍のタイトルを呼び出して表示させるための次候補ボタン、符号４９は書籍一覧画面４１を閉じるための終了ボタンである。
【００２４】
この実施形態において、第３記憶部２３の目次データは第２記憶部２２の本文データに対応するように記憶されるものである。図５は本文データと目次データの対応関係の一例を示し、雑誌Ａ（例えば、タイトル「旅行ガイド」の雑誌）における１〜４ページに編集された第１本文データ２１に対し、「ＸＸＸＸ」（例えば、「アメリカ旅行について」の文言）からなる第１目次データ３１が対応するように記憶される。又、雑誌Ａにおける５〜９ページに編集された第２本文データ２２に対し、「ＹＹＹＹ」（例えば、「中国旅行について」の文言）からなる第２目次データ３２が対応するように記憶され、１０〜１２ページに編集された第３本文データ２３に対し、「ＺＺＺＺ」（例えば、「旅行マナーについて」の文言）からなる第３目次データ３３が記憶される。
【００２５】
図４のステップＳ２に続き、ステップＳ３では、選択した書籍の１ページ目の本文データ及びこのページに対応した目次データを表示本体１５が並列表示する。図３は、表示部３の表示本体１５による表示の一例を示し、１ページ目の本文データ（第１本文データ２１）が本文データ表示部２０に表示され、この１ページ目の本文データに対応した「ＸＸＸＸ」からなる第１目次データ３１が目次データ表示部３０に表示される。この実施形態では、目次データ表示部３０は本文データ表示部２０の画面上方側で表示される。これにより本文データ表示部２０が表示している本文データ（第１本文データ２１）の目次を簡単に知ることができる。又、目次データ表示部３０が本文データ表示部２０の画面上方側に並行表示されるため、目次データ表示部３０が目立つことがなく、本文データを読む際の邪魔となることがない。
【００２６】
図３において、符号４４は本文データ表示部２０が表示している本文データのページを表示するページ表示部、符号４５は本文データを拡大するための拡大ボタン、符号４６は電子書籍の表示を終了するための終了ボタンである。ページめくり指示ボタン部４３は拡大ボタン４５と終了ボタン４６との間に配置されて操作される。ページめくり指示ボタン部４３におけるページ送りボタン４３ａをタッチすることによりページめくりが行われる（ステップＳ４）。これにより次ページ（２ページ目）の本文データ及びこの本文データのページ番号に対応した目次データが表示部３の表示本体１５に並行表示される。
【００２７】
さらにページめくりがなされた場合（ステップＳ６）、ステップＳ５に移行して次ページの本文データ及びこの本文データのページ番号に対応した目次データが表示本体１５に並行表示される。以上により電子書籍の内容が読者に連続的に読まれ、読者が終了ボタン４６をタッチすることにより電子書籍の表示が終了する（ステップＳ７）。
【００２８】
この実施形態において、図４に示す例では、１〜４ページの第１本文データ２１が本文データ表示部２０に表示されている間、目次データ表示部３０では、第１本文データ２１のページ番号（１〜４ページ）に対応した第１目次データ３１（「ＸＸＸＸ」）を表示する。５〜９ページの第２本文データ２２が本文データ表示部２０に表示されている間、目次データ表示部３０では、第２本文データ２２のページ番号（５〜９ページ）に対応した第２目次データ３２（「ＹＹＹＹ」）を表示し、１０〜１２ページの第３本文データ２３が本文データ表示部２０に表示されている間、目次データ表示部３０では、第３本文データ２３のページ番号（１０〜１２ページ）に対応した第３目次データ３３（「ＺＺＺＺ」）を表示する。
【００２９】
このような実施形態では、ページめくり部４がページをめくると、めくったページ番号に対応した本文データと目次データとを表示部３が並列表示するため、読者は現在の本文データがどの目次データについてのデータであるかを本文データを読みながら簡単に知ることができる。このため、読者の無駄な操作が必要なくなる。
【符号の説明】
【００３０】
１  電子書籍表示装置
２  記憶部
３  表示部
４  ページめくり部
１０  制御部
２０  本文データ表示部
２１〜２３  本文データ
３０  目次データ表示部
３１〜３３  目次データ
【図１】
2016085502.tif 000003
【図２】
2016085502.tif 000004
【図３】
2016085502.tif 000005
【図４】
2016085502.tif 000006
【図５】
2016085502.tif 000007